(57)【要約】【課題】効率的に下りリンクの伝送を行うことができる【解決手段】端末装置は、下りリンク制御情報を含むＰＤＣＣＨを受信し、下りリンク制御情報を復号し、下りリンク制御情報の符号化ビットの系列はスクランブリング系列によってスクランブルされ、スクランブル系列は以下の数式に基づいて与えられるＣｉｎｉｔに少なくとも基づいて初期化され、ＮＲＮＴＩはＣ−ＲＮＴＩ、ＴＣ−ＲＮＴＩ、０、６５５３４、および、６５５３５の何れかにセットされ、ＮＩＤは上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。（数式）Ｃｉｎｉｔ＝（ＮＩＤ・２１６＋ＮＲＮＴＩ）  ｍｏｄ  ２３１【選択図】図４
2019140598.tif 000002
【特許請求の範囲】
【請求項１】
下りリンク制御情報を含むＰＤＣＣＨを受信する受信部と、
前記下りリンク制御情報を復号する復号部と、を備え、
前記下りリンク制御情報の符号化ビットの系列は、スクランブリング系列によってスクランブルされ、
前記スクランブル系列は、Ｃｉｎｉｔに少なくとも基づいて初期化され、
前記Ｃｉｎｉｔは以下の数式に基づいて与えられ、
ＮＲＮＴＩはＣ−ＲＮＴＩ、ＴＣ−ＲＮＴＩ、０、６５５３４、および、６５５３５の何れかにセットされ、
ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる
（数式）
Ｃｉｎｉｔ＝（ＮＩＤ・２１６＋ＮＲＮＴＩ）  ｍｏｄ  ２３１
端末装置。
【請求項２】
下りリンク制御情報を符号化する符号化部と、
前記下りリンク制御情報を含むＰＤＣＣＨを送信する送信部と、を備え、
前記下りリンク制御情報の符号化ビットの系列は、スクランブリング系列によってスクランブルされ、
前記スクランブル系列は、Ｃｉｎｉｔに少なくとも基づいて初期化され、
前記Ｃｉｎｉｔは以下の数式に基づいて与えられ、
ＮＲＮＴＩはＣ−ＲＮＴＩ、ＴＣ−ＲＮＴＩ、０、６５５３４、および、６５５３５の何れかにセットされ、
ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる
（数式）
Ｃｉｎｉｔ＝（ＮＩＤ・２１６＋ＮＲＮＴＩ）  ｍｏｄ  ２３１
基地局装置。
【請求項３】
端末装置に用いられる通信方法であって、
下りリンク制御情報を含むＰＤＣＣＨを受信し、
前記下りリンク制御情報を復号し、
前記下りリンク制御情報の符号化ビットの系列は、スクランブリング系列によってスクランブルされ、
前記スクランブル系列は、Ｃｉｎｉｔに少なくとも基づいて初期化され、
前記Ｃｉｎｉｔは以下の数式に基づいて与えられ、
ＮＲＮＴＩはＣ−ＲＮＴＩ、ＴＣ−ＲＮＴＩ、０、６５５３４、および、６５５３５の何れかにセットされ、
ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる
（数式）
Ｃｉｎｉｔ＝（ＮＩＤ・２１６＋ＮＲＮＴＩ）  ｍｏｄ  ２３１
通信方法。
【請求項４】
基地局装置に用いられる通信方法であって、
下りリンク制御情報を符号化し、
前記下りリンク制御情報を含むＰＤＣＣＨを送信し、
前記下りリンク制御情報の符号化ビットの系列は、スクランブリング系列によってスクランブルされ、
前記スクランブル系列は、Ｃｉｎｉｔに少なくとも基づいて初期化され、
前記Ｃｉｎｉｔは以下の数式に基づいて与えられ、
ＮＲＮＴＩはＣ−ＲＮＴＩ、ＴＣ−ＲＮＴＩ、０、６５５３４、および、６５５３５の何れかにセットされ、
ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる
（数式）
Ｃｉｎｉｔ＝（ＮＩＤ・２１６＋ＮＲＮＴＩ）  ｍｏｄ  ２３１
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲの下りリンクにおいてＰＤＣＣＨが用いられる（非特許文献１、２、３、４、５）。非特許文献６、７には、ＰＤＣＣＨスクランブルのためのスクランブリング系列生成器を、ｎＲＮＴＩとｎＩＤを用いて初期化することが記載されている。
【先行技術文献】
【非特許文献】
【０００４】
【非特許文献１】"3GPP TS 38.211 V15.0.0 (2017-12), NR; Physical channels and modulation", 3rd January, 2018.
【非特許文献２】"3GPP TS 38.212 V15.0.0 (2017-12), NR; Multiplexing and channel coding", 3rd January, 2018.
【非特許文献３】"3GPP TS 38.213 V15.0.0 (2017-12), NR; Physical layer procedures for control", 3rd January, 2018.
【非特許文献４】"3GPP TS 38.214 V15.0.0 (2017-12), NR; Physical layer procedures for data", 3rd January, 2018.
【非特許文献５】"3GPP TS 38.321 V15.0.0 (2017-12), NR; Medium Access Control (MAC) protocol specification", 4th January, 2018.
【非特許文献６】"On PDCCH structure", R1-1800943, Ericsson, 3GPP TSG-RAN WG1 AH-1801, Vancouver, Canada, 22th- 26st January 2018.
【非特許文献７】"Offline discussion for PDCCH structure", R1-1801196, NTT DOCOMO, INC., 3GPP TSG-RAN WG1 AH-1801, Vancouver, Canada, 22th- 26st January 2018.
【発明の概要】
【発明が解決しようとする課題】
【０００５】
本発明は、端末装置、該端末装置に用いられる通信方法、基地局装置、および、該基地局装置に用いられる通信方法を提供する。本発明の端末装置、該端末装置に用いられる通信方法、基地局装置、および、該基地局装置に用いられる通信方法は、効率的に下りリンクの送信および／または受信を行う方法を備える。
【課題を解決するための手段】
【０００６】
（１）本発明の態様は、以下のような手段を講じた。すなわち、本発明の第１の態様は、端末装置であって、下りリンク制御情報を含むＰＤＣＣＨを受信する受信部と、前記下
りリンク制御情報を復号する復号部と、を備え、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【０００７】
（２）本発明の第２の態様は、基地局装置であって、下りリンク制御情報を符号化する符号化部と、前記下りリンク制御情報を含むＰＤＣＣＨを送信する送信部と、を備え、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【０００８】
（３）本発明の第３の態様は、端末装置に用いられる通信方法であって、下りリンク制御情報を含むＰＤＣＣＨを受信し、前記下りリンク制御情報を復号し、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【０００９】
（４）本発明の第４の態様は、基地局装置に用いられる通信方法であって、下りリンク制御情報を符号化し、前記下りリンク制御情報を含むＰＤＣＣＨを送信し、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【発明の効果】
【００１０】
この発明によれば、端末装置は効率的に下りリンクの受信を行うことができる。また、基地局装置は効率的に下りリンクの送信を行うことができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるＣＯＲＥＳＥＴの一例を示す図である。
【図７】本実施形態におけるＣＯＲＥＳＥＴとサーチスペースの対応の一例を示す図である。
【図８】本実施形態のＣＯＲＥＳＴ６００におけるサーチスペースの一例を示す図である。
【図９】本実施形態における下りリンク制御情報に関する処理の一例を示す図である。
【図１０】本実施形態における数式（３）によって与えられるＵＳＳのためのＣｉｎｉｔの一例を示す図である。
【図１１】本実施形態における数式（４）によって与えられるＵＳＳのためのＣｉｎｉｔの一例を示す図である。
【発明を実施するための形態】
【００１２】
以下、本発明の実施形態について説明する。
【００１３】
図１は、本実施形態の無線通信システムの概念図である。図１において、無線通信システムは、端末装置１、および、基地局装置３を具備する。
【００１４】
以下、キャリアアグリゲーションについて説明する。
【００１５】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。複数のサービングセルは、１つのプライマリセル、または、１つのプライマリセカンダリセルを含む。複数のサービングセルは、１つ、または、複数のセカンダリセルを含んでもよい。プライマリセカンダリセルは、プライマリＳＣＧセルとも称する。プライマリセルおよびプライマリＳＣＧセルをスペシャルセルとも称する。
【００１６】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセルが設定されてもよい。
【００１７】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１８】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１９】
本実施形態の物理チャネルおよび物理信号について説明する。
【００２０】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink Control Information: UCI）である。
【００２２】
ＰＵＳＣＨは、上りリンクデータ（Transport block, Uplink-Shared Channel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤ
ＣＣＨ（Physical Downlink Control Channel）の検出に基づいてＰＵＳＣＨを送信して
もよい。
【００２３】
ＰＲＡＣＨは、ランダムアクセスプリアンブルを送信するために用いられる。
【００２４】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
【００２５】
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭＲＳを使用してもよい。
【００２６】
基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcaset Channel）
・ＰＤＣＣＨ（Physical Downlink Control Channel）
・ＰＤＳＣＨ（Physical Downlink Control Channel）
【００２７】
ＰＢＣＨは、システム情報を送信するために用いられる。ＰＢＣＨで送信されるシステム情報は、ＭＩＢ（Master Information Block）とも称する。
【００２８】
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）、および、下りリンクアサインメント（downlink assignment）を含む。上りリンクグラントは、単一のセル内の単一のＰＵ
ＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。
【００２９】
ＰＤＳＣＨは、下りリンクデータ（Transport block, Downlink-Shared Channel: DL-SCH）を送信するために用いられる。
【００３０】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００３１】
以下、本実施形態の無線フレーム（radio frame）の構成について説明する。
【００３２】
図２は、本実施形態の無線フレームの概略構成を示す図である。図２において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００３３】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。上りリンクスロットはＮｓｙｍｂＵＬ個のＯＦＤＭシンボルを含んでもよい。
【００３４】
図３において、ｌはＯＦＤＭシンボル番号／インデックスであり、ｋはサブキャリア番号／インデックスである。スロットのそれぞれにおいて送信される物理シグナルまたは物理チャネルは、リソースグリッドによって表現される。上りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００３５】
上りリンクスロットは、時間領域において、複数ＯＦＤＭシンボルｌ（ｌ＝０，１，．．．，ＮｓｙｍｂＵＬ）を含む。上りリンクにおけるノーマルＣＰ（normal Cyclic Prefix）に対して、ＮＵＬｓｙｍｂは７または１４であってもよい。上りリンクにおける拡張ＣＰ（extended CP）に対して、ＮＵＬｓｙｍｂは６または１２であってもよい。
【００３６】
端末装置１は、上りリンクにおけるＣＰ長を示す上位層のパラメータUL-CyclicPrefixLengthを基地局装置３から受信する。基地局装置３は、セルに対応する該上位層のパラメ
ータUL-CyclicPrefixLengthを含むシステムインフォメーションを、該セルにおいて報知
してもよい。
【００３７】
上りリンクスロットは、周波数領域において、複数のサブキャリアｋ（ｋ＝０，１，．．．，ＮＲＢＵＬ・ＮＳＣＲＢ)を含む。ＮＲＢＵＬは、ＮＳＣＲＢの倍数によって表現
される、サービングセルに対する上りリンク帯域幅設定である。ＮＳＣＲＢは、サブキャリアの数によって表現される、周波数領域における（物理）リソースブロックサイズである。サブキャリア間隔Δfは１５ｋＨｚであってもよい。ＮＳＣＲＢは１２であってもよ
い。周波数領域における（物理）リソースブロックサイズは１８０ｋＨｚであってもよい。
【００３８】
１つの物理リソースブロックは、時間領域においてＮｓｙｍｂＵＬの連続するＯＦＤＭシンボルと周波数領域においてＮＳＣＲＢの連続するサブキャリアとから定義される。ゆえに、１つの物理リソースブロックは（ＮｓｙｍｂＵＬ・ＮＳＣＲＢ）のリソースエレメントから構成される。１つの物理リソースブロックは、時間領域において１つのスロット
に対応してもよい。物理リソースブロックは周波数領域において、周波数の低いほうから順に番号ｎＰＲＢ（０，１，．．．，ＮＲＢＵＬ−１）が付けられてもよい。
【００３９】
本実施形態における下りリンクのスロットは、複数のＯＦＤＭシンボルを含む。本実施形態における下りリンクのスロットの構成は上りリンクと基本的に同じであるため、下りリンクのスロットの構成の説明は省略する。
【００４０】
以下、本実施形態における装置の構成について説明する。
【００４１】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００４２】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００４３】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４４】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００４５】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４６】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００４７】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００４８】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボル
にＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００５０】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００５１】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００５２】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００５３】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００５４】
無線送受信部３０の機能は、無線送受信部１０と同様であるため説明を省略する。
【００５５】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００５６】
以下、ＲＮＴＩ（Radio Network Temporary Identifier）について説明をする。
【００５７】
下りリンク制御情報に付加されるＣＲＣパリティビットは、ＲＮＴＩによってスクラン
ブルされる。端末装置１は、ＲＮＴＩに基づいて下りリンク制御情報のフォーマットを判断してもよい。端末装置１は、ＲＮＴＩに基づいて下りリンク制御情報の用途（usage）
を判断してもよい。
【００５８】
ＲＮＴＩは、Ｃ−ＲＮＴＩ（Cell RNTI）、ＴＣ−ＲＮＴＩ（Temporary Cell RNTI）、ＣＳ−ＲＮＴＩ（Configured Scheduling RNTI）、ＳＰ−ＣＳＩ−ＲＮＴＩ（Semi Persisitent Channel State Information RNTI）、および、ＲＡ−ＲＮＴＩ（Random Access RNTI）を少なくとも含んでもよい。
【００５９】
Ｃ−ＲＮＴＩは、動的にスケジュールされるユニキャスト送信（上りリンクおよび下りリンク）のために用いられる。ＴＣ−ＲＮＴＩは、コンテンションベース（contentiion based）ランダムアクセス手順のメッセージ３送信のために用いられる。ＴＣ−ＲＮＴＩ
は、Ｃ−ＲＮＴＩが利用可能ではない場合のコンテンションリゾリューションのために用いられる。
【００６０】
ＣＳ−ＲＮＴＩは、下りリンクのＳＰＳ（Semi Persisitent Scheduling）の活性化（activation）、非活性化（deactivation）、再活性化（reactivation）、および、再送信
のために用いられる。下りリンクのＳＰＳが活性化されている場合、端末装置１は、所定の条件を満たすスロットまたはＯＦＤＭシンボルにおいて下りリンクアサインメントが発生するとみなしてもよい。ここで、所定の条件を満たすスロットまたはＯＦＤＭシンボルは、スロット単位のオフセット、スロット単位の周期、シンボル単位のオフセット、および／または、シンボル単位の周期に少なくとも基づいて与えられてもよい。下りリンクのＳＰＳは非特許文献５に記載されている。
【００６１】
ＣＳ−ＲＮＴＩは、設定されるグラントタイプ２の活性化（activation）、非活性化（deactivation）、再活性化（reactivation）、および、再送信のために用いられる。設定されるグラントタイプ２は、動的なグラントをともなわない送信（configured grant without dynamic grant）のタイプの１つである。動的なグラントをともなわない送信は、上りリンクの送信である。設定されるグラントタイプ２が活性化されている場合、端末装置１は、所定の条件を満たすスロットまたはＯＦＤＭシンボルにおいて上りリンクグラントが発生するとみなしてもよい。ここで、所定の条件を満たすスロットまたはＯＦＤＭシンボルは、スロット単位のオフセット、スロット単位の周期、シンボル単位のオフセット、および／または、シンボル単位の周期に少なくとも基づいて与えられてもよい。
【００６２】
ＳＰ−ＣＳＩ−ＲＮＴＩは、準静的なＣＳＩ報告の活性化（activation）、非活性化（deactivation）、および、再活性化（reactivation）のために少なくとも用いられる。準静的なＣＳＩ報告が活性化されている場合、端末装置１は、所定の条件を満たすスロットまたはＯＦＤＭシンボルにおいて準静的なＣＳＩ報告を行ってもよい。ここで、所定の条件を満たすスロットまたはＯＦＤＭシンボルは、スロット単位のオフセット、スロット単位の周期、シンボル単位のオフセット、および／または、シンボル単位の周期に少なくとも基づいて与えられてもよい。準静的なＣＳＩ報告は、ＰＵＣＣＨまたはＰＵＳＣＨで送信されてもよい。
【００６３】
スロット単位のオフセット、スロット単位の周期、シンボル単位のオフセット、および、シンボル単位の周期は、下りリンクのＳＰＳ、設定されるグラントタイプ２、および、準静的なＣＳＩ報告のために個別に設定されてもよい。
【００６４】
ＲＡ  ＲＮＴＩは、ランダムアクセスレスポンスのために用いられる。
【００６５】
以下、コンテンションベース（contention based）ランダムアクセス手順について説明
をする。
【００６６】
コンテンションベースランダムアクセス手順は、第１のステップ、第２のステップ、第３のステップ、および、第４のステップを含む。
【００６７】
第１のステップにおいて、端末装置１は、ランダムアクセスプリアンブルを送信する。ランダムアクセスプリアンブルは、ＰＲＡＣＨに含まれる。第１のステップにおいて、端末装置１のＭＡＣ層自身が、ランダムアクセスプリアンブルのインデックスを選択してもよい。すなわち、第１のステップにおいて、基地局装置３は、ランダムアクセスプリアンブルのインデックスを端末装置１に通知しなくてもよい。
【００６８】
第２のステップにおいて、端末装置１は、ランダムアクセスレスポンスを受信する。ランダムアクセスレスポンスは、ＰＤＳＣＨに含まれる。ここで、ランダムアクセスレスポンスを含むＰＤＳＣＨのスケジューリングのために、ＲＡ−ＲＮＴＩに対するＰＤＣＣＨが用いられる。ＲＡ−ＲＮＴＩの値は、第１のステップにおいてランダムアクセスプリアンブルの送信のために用いられるＰＲＡＣＨのリソースに基づいて与えられてもよい。ランダムアクセスレスポンスは、ランダムアクセスプリアンブルのインデックスを示すランダムアクセスプリアンブル識別子、上りリンクグラント、ＴＣ−ＲＮＴＩを示す情報、および、タイミングアドバンスを示す情報を含む。端末装置１は、ランダムアクセスレスポンスが、第１のステップにおいて送信されたランダムアクセスプリアンブルに対応するランダムアクセスプリアンブル識別子を含んでいる場合、ランダムアクセスレスポンスの受信に成功したとみなす。
【００６９】
第３のステップにおいて、端末装置１は、端末装置１の識別子を含むＣＣＣＨ（Common
Control Channel）、または、Ｃ−ＲＮＴＩを示すＭＡＣ  ＣＥ（Control Element）を
送信する。ＣＣＣＨは論理チャネルである。該ＣＣＣＨ、または、該ＭＡＣ  ＣＥは、ランダムアクセスレスポンスに含まれる上りリンクグラントによってスケジュールされるＰＵＳＣＨで送信されてもよい。該ＣＣＣＨ、または、該ＭＡＣ  ＣＥの送信を含むトランスポートブロックをメッセージ３とも称する。
【００７０】
第４のステップにおいて、端末装置１は、コンテンションリゾリューションを受信する。コンテンションリゾリューションは、ＵＥコンテンションリゾリューション識別子、または、Ｃ−ＲＮＴＩであってもよい。端末装置１が第３のステップのＰＵＳＣＨにおいてＣ−ＲＮＴＩを送信しており、且つ、端末装置１がＣ−ＲＮＴＩに対するＰＤＣＣＨを受信した場合、端末装置１はコンテンションリゾリューションに成功したとみなしてもよく、且つ、ランダムアクセス手順が成功裏に完了したとみなしてもよい。
【００７１】
ＵＥコンテンションリゾリューション識別子を示す情報は、ＰＤＳＣＨに含まれる。ここで、当該ＰＤＳＣＨのスケジューリングのために、ＴＣ−ＲＮＴＩに対するＰＤＣＣＨが用いられる。（ｉ）端末装置１が第３のステップのＰＵＳＣＨにおいてＣ−ＲＮＴＩを送信していない、且つ、（ｉｉ）端末装置１が第３のステップにおいて端末装置１の識別子を含むＣＣＣＨを送信している、且つ、（ｉｉｉ）端末装置１がＴＣ−ＲＮＴＩに対するＰＤＣＣＨを受信し、且つ、（ｉｖ）当該ＰＤＣＣＨによってスケジュールされるＰＤＳＣＨにＵＥコンテンションリゾリューション識別子を示す情報が含まれ、且つ、（ｖ）当該ＵＥコンテンションリゾリューション識別子と第３のステップにおいて送信された端末装置１の識別子がマッチする場合、端末装置１はコンテンションリゾリューションに成功したとみなしてもよく、且つ、ランダムアクセス手順が成功裏に完了したとみなしてもよい。
【００７２】
以下、ＣＯＲＥＳＥＴ（control resource set）について説明をする。
【００７３】
図６は、本実施形態におけるＣＯＲＥＳＥＴの一例を示す図である。６００と６０１はＣＯＲＥＳＥＴである。６１０はＣＣＥ（Control Channel Element）である。６２０は
ＲＥＧ（Resource Element Group）である。６３０はリソースエレメントである。サービングセルにおけるスロットは１つまたは複数のＣＯＲＥＳＥＴを含んでもよい。時間領域において、ＣＯＲＥＳＥＴは連続する１つまたは複数のＯＦＤＭシンボルに含まれてもよい。時間領域において、ＣＯＲＥＳＥＴはスロットの最初のＯＦＤＭシンボルに含まれてもよい。ＣＯＲＥＳＥＴは、周波数領域において複数のリソースエレメントから構成されてもよい。ＣＯＲＥＳＥＴは複数のＣＣＥから構成されてもよい。１つのＣＣＥは周波数領域において連続する６つのＲＥＧから構成されてもよい。１つのＲＥＧは周波数領域において連続する１２のリソースエレメントから構成されてもよい。ＣＣＥはＰＤＣＣＨ候補を構成する要素である。
【００７４】
以下、サーチスペースについて説明をする。
【００７５】
サーチスペースには２つのタイプがある。サーチスペースのタイプの１つはＣＳＳ（Common Search Space）であり、もう１つはＵＳＳ（UE-specific Search Space）である。
【００７６】
図７は、本実施形態におけるＣＯＲＥＳＥＴとサーチスペースの対応の一例を示す図である。ＣＯＲＥＳＥＴ６００はＣＳＳ７００とＵＳＳ７０１を含む。ＣＯＲＥＳＥＴ６０１はＣＳＳ７０２とＵＳＳ７０３を含む。
【００７７】
ＣＯＲＥＳＥＴ６００のインデックスは０であってもよい。ＣＯＲＥＳＥＴ６００をＣＯＲＥＳＥＴ０とも称する。パラメータＲａｄｉｏＲｅｓｏｕｒｃｅＣｏｎｆｉｇＣｏｍｍｏｎはＣＯＲＥＳＥＴ６００のための設定、ＣＳＳ７００のための設定、および／または、ＵＳＳ７０１のための設定を少なくとも含んでもよい。パラメータＲａｄｉｏＲｅｓｏｕｒｃｅＣｏｎｆｉｇＣｏｍｍｏｎは、共通無線リソース設定を示すために用いられてもよい。パラメータＲａｄｉｏＲｅｓｏｕｒｃｅＣｏｎｆｉｇＣｏｍｍｏｎは、ＣＯＲＥＳＥＴ６００のインデックスを示さなくてもよい。
【００７８】
ＣＯＲＥＳＥＴ６０１のインデックスは０ではない。ＣＯＲＥＳＥＴ６０１のインデックスは１から１１の何れであってもよい。パラメータＲａｄｉｏＲｅｓｏｕｒｃｅＣｏｎｆｉｇＤｅｄｉｃａｔｅｄはＣＯＲＥＳＥＴ１のための設定、ＣＳＳ７０２のための設定、および／または、ＵＳＳ７０３のための設定を少なくとも含んでもよい。パラメータＲａｄｉｏＲｅｓｏｕｒｃｅＣｏｎｆｉｇＤｅｄｉｃａｔｅｄは、セカンダリセルのためのＵＥ固有の物理チャネル設定を示すために用いられてもよい。パラメータＲａｄｉｏＲｅｓｏｕｒｃｅＣｏｎｆｉｇＤｅｄｉｃａｔｅｄはＣＯＲＥＳＥＴ６０１のインデックスを示してもよい。
【００７９】
ＲＲＣＣｏｎｎｅｃｔｉｏｎＲｅｃｏｎｆｉｇｕｒａｔｉｏｎメッセージは、パラメータＲａｄｉｏＲｅｓｏｕｒｃｅＣｏｎｆｉｇＣｏｍｍｏｎおよびパラメータＲａｄｉｏＲｅｓｏｕｒｃｅＣｏｎｆｉｇＤｅｄｉｃａｔｅｄを含んでもよい。端末装置１は、基地局装置３または基地局装置３とは異なる基地局装置からＲＲＣＣｏｎｎｅｃｔｉｏｎＲｅｃｏｎｆｉｇｕｒａｔｉｏｎメッセージを受信してもよい。
【００８０】
サーチスペースは、ＰＤＣＣＨ候補のセットである。ＰＤＣＣＨはＰＤＣＣＨ候補において送信される。端末装置１は、サーチスペースにおいてＰＤＣＣＨをモニタする。モニタリングとは、ＤＣＩフォーマットに応じて、ＰＤＣＣＨのデコードを試みることを意味する。ＰＤＣＣＨをモニタすることを、ＤＣＩフォーマットをモニタするとも称する。ＰＤＣＣＨ候補は、ＣＯＲＥＳＥＴにおける１つまたは複数の連続するＣＣＥから構成され
てもよい。ＰＤＣＣＨ候補を構成するＣＣＥの数をアグリゲーションレベルとも称する。サーチスペースはアグリゲーションレベル毎に定義されてもよい。
【００８１】
端末装置１は、ＣＳＳにおいて、ＲＡ−ＲＮＴＩによってスクランブルされたＣＲＣパリティビットをともなうＤＣＩフォーマットをともなうＰＤＣＣＨをモニタしてもよい。端末装置１は、ＣＳＳおよびＵＳＳにおいて、Ｃ−ＲＮＴＩによってスクランブルされたＣＲＣパリティビットをともなうＤＣＩフォーマットをともなうＰＤＣＣＨ、ＴＣ−ＲＮＴＩによってスクランブルされたＣＲＣパリティビットをともなうＤＣＩフォーマットをともなうＰＤＣＣＨ、ＣＳ−ＲＮＴＩによってスクランブルされたＣＲＣパリティビットをともなうＤＣＩフォーマットをともなうＰＤＣＣＨ、および／または、ＳＰ−ＣＳＩ−ＲＮＴＩによってスクランブルされたＣＲＣパリティビットをともなうＤＣＩフォーマットをともなうＰＤＣＣＨをモニタしてもよい。
【００８２】
図８は、本実施形態のＣＯＲＥＳＴ６００におけるサーチスペースの一例を示す図である。８００から８０４のそれぞれは、アグリゲーションレベル４のＰＤＣＣＨ候補である。ＣＳＳ７００は、ＰＤＣＣＨ候補８００とＰＤＣＣＨ候補８０１のセットである。ＵＳＳ７０１は、ＰＤＣＣＨ候補８０１とＰＤＣＣＨ候補８０２のセットである。
【００８３】
ＣＯＲＥＳＥＴにおいて、サービングセルのためのサーチスペースのｍｎ番目のＰＤＣＣＨ候補に対応するＣＣＥは数式（１）によって与えられる。ＰＤＣＣＨ候補８００はＣＳＳ７００の１番目のＰＤＣＣＨ候補である。ＰＤＣＣＨ候補８０１はＣＳＳ７００の２番目のＰＤＣＣＨ候補であり、且つ、ＵＳＳ７０１の１番目のＰＤＣＣＨ候補である。ＰＤＣＣＨ候補８０２はＵＳＳ７０１の２番目のＰＤＣＣＨ候補である。ＣＳＳ７００の２番目のＰＤＣＣＨ候補とＵＳＳ７０１の１番目のＰＤＣＣＨ候補は、同じＰＤＣＣＨ候補である。すなわち、ＣＳＳ７００の２番目のＰＤＣＣＨ候補を構成するＣＣＥのセットは、ＵＳＳ７０１の１番目のＰＤＣＣＨ候補を構成するＣＣＥと同じである。
【００８４】
【数１】
2019140598.tif 000003
【００８５】
ｆｌｏｏｒは床関数である。床関数は、入力された値よりも小さい、最も大きい整数を出力する。Ｘ  ｍｏｄ  Ｙは、ＸをＹで割った場合の余りを出力する関数である。Ｌはアグリゲーションレベルである。ｋｐは無線フレーム内におけるスロットの番号であってもよい。
【００８６】
ｐは数式（１）におけるＣＯＲＥＳＥＴの番号である。インデックスの小さいＣＯＲＥＳＥＴから順に、ＣＯＲＥＳＥＴの番号ｐが割り当てられてもよい。インデックス０のＣＯＲＥＳＥＴ６００に対して、ｐは０であってもよい。インデックスが１から１１の何れかであるＣＯＲＥＳＥＴ６０１に対して、ｐは１であってもよい。ＮＣＣＥ，ｐはＣＯＲＥＳＥＴｐに含まれるＣＣＥの数である。
【００８７】
Ｙｐ，ｋｐはＣＯＲＥＳＥＴｐに対応する。ＣＳＳに対してＹｐ，ｋｐは０である。ＵＳＳに対してＹｐ，ｋｐはｎＲＮＴＩに少なくとも基づいて与えられる。ｎＲＮＴＩはＣ−ＲＮＴＩまたはＴＣ−ＲＮＴＩである。ｎＲＮＴＩをＣ−ＲＮＴＩにセットしたときに与えられるＵＳＳを、Ｃ−ＲＮＴＩによって与えられるＵＳＳとも称する。ｎＲＮＴＩをＴＣ−ＲＮＴＩにセットしたときに与えられるＵＳＳを、ＴＣ−ＲＮＴＩによって与えられるＵＳＳとも称する。
【００８８】
ＡｐはＣＯＲＥＳＥＴｐに対応する（ｐ＝０、１、２）。
【００８９】
端末装置１は、Ｃ−ＲＮＴＩによって与えられるＵＳＳにおいて、Ｃ−ＲＮＴＩによってスクランブルされたＣＲＣパリティビットをともなうＤＣＩフォーマットをともなうＰＤＣＣＨ、ＣＳ−ＲＮＴＩによってスクランブルされたＣＲＣパリティビットをともなうＤＣＩフォーマットをともなうＰＤＣＣＨ、および、ＳＰ−ＣＳＩ−ＲＮＴＩによってスクランブルされたＣＲＣパリティビットをともなうＤＣＩフォーマットをともなうＰＤＣＣＨをモニタしてもよい。端末装置１は、ＴＣ−ＲＮＴＩによって与えられるＵＳＳにおいて、ＴＣ−ＲＮＴＩによってスクランブルされたＣＲＣパリティビットをともなうＤＣＩフォーマットをともなうＰＤＣＣＨをモニタしてもよい。
【００９０】
ｎＣＩは、キャリアインディケーションフィールドの値である。キャリアインディケーションフィールドが設定されていない場合、ｎＣＩは０であってもよい。本実施形態においてｎＣＩは０であってもよい。ｍｎＣＩは、ｎＣＩに対応するサーチスペースにおけるＰＤＣＣＨ候補の番号である。Ｍｐ，ｍａｘ（Ｌ）はアグリゲーションレベルＬに対するＭｐ，ｎＣＩ（Ｌ）の最大値である。Ｍｐ，ｎＣＩ（Ｌ）はｎに対応するアグリゲーションレベルＬに対するＰＤＣＣＨ候補の数である。ＣＯＲＥＳＥＴ６００に対するＭｐ，ｎＣＩ（Ｌ）は２である。ＣＯＲＥＳＥＴ６０１に対するＭｐ，ｎＣＩ（Ｌ）は２である。
【００９１】
図９は、本実施形態における下りリンク制御情報に関する処理の一例を示す図である。基地局装置３は、９００から９１６の処理の一部、または、全部を、下りリンク制御情報ａｉの送信のために用いられるＰＤＣＣＨのアグリゲーションレベルに基づいて実行してもよい。
【００９２】
９００において、基地局装置３は下りリンク制御情報ａｉを生成する。Ａは下りリンク制御情報のビット数である。
【００９３】
９０２において、基地局装置３は下りリンク制御情報ａｉからＣＲＣパリティビットを生成し、下りリンク制御情報ａｉにＣＲＣパリティビットを付加することによってビット系列ｂｉを生成する。ＢはＣＲＣパリティビットの数とＡの和である。
【００９４】
９０４において、基地局装置３は、ビット系列ｂｉをチャネル符号化することによって、符号化ビットｃｉを生成する。チャネル符号は、ポーラー符号、または、畳み込み符号であってもよい。Ｃはチャネル符号化ビットの数である。基地局装置３は、符号化ビットｃｉは行列ｕ’と行列Ｇ’の積によって与えられてもよい。行列Ｇ’はＣ行Ｃ列の行列であり、２行２列の行列Ｇ０のｎクロネッカーパワー（n-th Kronecker power）によって与えられてもよい。行列ｕ’＝［ｕ０，ｕ１，．．．，ｕＣ−１］は１行Ｃ列の行列であり、ビット系列ｂｉに基づいて生成される。
【００９５】
９０６において、基地局装置３は、系列ｃｉをインタリーブすることによって、系列ｄｉを生成してもよい。
【００９６】
９０８において、基地局装置３は、系列ｄｉを繰り返す、または、パンクチャすることによって、系列ｅｉを生成してもよい。
【００９７】
９１０において、基地局装置３は、系列ｅｉをインタリーブすることによって系列ｆｉを生成してもよい。
【００９８】
９１２において、基地局装置３は、ＰＤＣＣＨのためのスクランブリング系列ｓｉを用いて系列ｆｉをスクランブルすることによって、系列ｇｉを生成してもよい。
【００９９】
９１４において、基地局装置３は、系列ｇｉから変調シンボル（複素数値シンボル）の系列ｈｉを生成する。９１６において、基地局装置３は、ＰＤＣＣＨ候補に対応するリソースエレメントに変調シンボルｈｉをマップする。
【０１００】
端末装置１は、９００から９１４による処理を想定し、ＰＤＣＣＨをモニタする。例えば、端末装置１は、ＰＤＣＣＨのためのスクランブリング系列ｓｉを用いて系列ｆｉがスクランブルされたことを想定し、ＰＤＣＣＨをモニタしてもよい。
【０１０１】
ＰＤＣＣＨのためのスクランブリング系列ｓｉを生成する無線送受信部３０は、ｃｉｎｉｔに少なくとも用いて初期化されてもよい。ｃｉｎｉｔはＮＬ、ＮＲＮＴＩ、および／または、ＮＩＤに少なくとも基づいて与えらてもよい。ｃｉｎｉｔは数式（２）または数式（３）に基づいて与えられてもよい。すなわち、ＰＤＣＣＨのためのスクランブリング系列ｓｉは、ＮＬ、ＮＲＮＴＩ、および／または、ＮＩＤに少なくとも基づいて与えられてもよい。
【０１０２】
【数２】
2019140598.tif 000004
【数３】
2019140598.tif 000005
【０１０３】
ＣＳＳに対して、ＮＲＮＴＩは所定の値であってもよい。すなわち、ＣＳＳにマップされるＰＤＣＣＨは、所定の値にセットされたＮＲＮＴＩに少なくとも基づいて生成されるスクランブリング系列ｓｉによってスクランブルされてもよい。ここで、所定の値は０であってもよい。
【０１０４】
ＵＳＳに対して、ＮＲＮＴＩはＰＤＣＣＨがマップされるＵＳＳが何れのＲＮＴＩによって与えられるかに基づいて与えられてもよい。端末装置１は、ＰＤＣＣＨがマップされるＵＳＳが何れのＲＮＴＩによって与えられるかに基づいてＮＲＮＴＩを決定してもよい
。
【０１０５】
Ｃ−ＲＮＴＩによって与えられるＵＳＳに対して、ＮＲＮＴＩはＣ−ＲＮＴＩであってもよい。すなわち、Ｃ−ＲＮＴＩによって与えられるＵＳＳにマップされるＰＤＣＣＨは、Ｃ−ＲＮＴＩにセットされたＮＲＮＴＩに少なくとも基づいて生成されるスクランブリング系列ｓｉによってスクランブルされてもよい。
【０１０６】
ＴＣ−ＲＮＴＩによって与えられるＵＳＳに対して、ＮＲＮＴＩはＴＣ−ＲＮＴＩ、または、予め定められた値であってもよい。ここで、予め定められた値は０、６５５３４、６５５３５のうちの何れであってもよい。予め定められた値は、０、６５５３４、６５５３５とは異なる値でもよい。すなわち、ＴＣ−ＲＮＴＩによって与えられるＵＳＳにマップされるＰＤＣＣＨは、ＴＣ−ＲＮＴＩ、または、予め定められた値にセットされたＮＲＮＴＩに少なくとも基づいて生成されるスクランブリング系列ｓｉによってスクランブルされてもよい。
【０１０７】
ＣＳＳに対して、下りリンク制御情報に付加されるＣＲＣパリティビットのスクランブルのために何れのＲＮＴＩが用いられるかにかかわらず、ＮＲＮＴＩは所定の値であってもよい。ここで、所定の値は０であってもよい。
【０１０８】
ＵＳＳに対して、ＮＲＮＴＩは、下りリンク制御情報に付加されるＣＲＣパリティビットのスクランブルのために何れのＲＮＴＩが用いられるかに少なくとも基づいて与えられてもよい。端末装置１は、下りリンク制御情報に付加されるＣＲＣパリティビットのスクランブルのために何れのＲＮＴＩが用いられるかに少なくとも基づいてＮＲＮＴＩを決定してもよい。
【０１０９】
ＰＤＣＣＨがＵＳＳにマップされ、且つ、下りリンク制御情報に付加されるＣＲＣパリティビットがＣ−ＲＮＴＩ、ＳＰ−ＣＳＩ−ＲＮＴＩ、または、ＣＳ−ＲＮＴＩによってスクランブルされる場合、ＮＲＮＴＩはＣ−ＲＮＴＩであってもよい。ＰＤＣＣＨがＵＳＳにマップされ、且つ、下りリンク制御情報に付加されるＣＲＣパリティビットがＴＣ−ＲＮＴＩ以外のＲＮＴＩによってスクランブルされる場合、ＮＲＮＴＩはＣ−ＲＮＴＩであってもよい。ＰＤＣＣＨがＵＳＳにマップされ、且つ、下りリンク制御情報に付加される前記ＣＲＣパリティビットがＴＣ−ＲＮＴＩによってスクランブルされる場合、ＮＲＮＴＩは予め定められた値であってもよい。ここで、予め定められた値は０、６５５３４、６５５３５のうちの何れであってもよい。予め定められた値は、０、６５５３４、６５５３５とは異なる値でもよい。
【０１１０】
第１のアグリゲーションレベルのＰＤＣＣＨに対して、ＮＬは０にセットされてもよい。第２のアグリゲーションレベルのＰＤＣＣＨに対して、ＮＬは１にセットされてもよい。第１のアグリゲーションレベルは１、２、４、８を少なくとも含んでもよい。第２のアグリゲーションレベルは１６を少なくとも含んでもよい。
【０１１１】
ＮＩＤは、上位層のパラメータＣｏｎｔｒｏｌ−ｓｃｒａｍｂｌｉｎｇ−Ｉｄｅｎｔｉｔｙ、または、物理レイヤセルＩＤ（physical layer cell identity）にセットされてもよい。
【０１１２】
上位層のパラメータＣｏｎｔｒｏｌ−ｓｃｒａｍｂｌｉｎｇ−Ｉｄｅｎｔｉｔｙは、ＣＯＲＥＳＥＴ毎、または、サーチスペース毎に設定されてもよい。上位層のパラメータＣｏｎｔｒｏｌ−ｓｃｒａｍｂｌｉｎｇ−Ｉｄｅｎｔｉｔｙは、上位層のパラメータＣｏｎｔｒｏｌ−ｓｃｒａｍｂｌｉｎｇ−ＩｄｅｎｔｉｔｙはパラメータＲａｄｉｏＲｅｓｏｕｒｃｅＣｏｎｆｉｇＤｅｄｉｃａｔｅｄに含まれてもよい。
【０１１３】
端末装置１は、セルサーチによって、同期信号から物理レイヤセルＩＤを取得してもよい。パラメータＲａｄｉｏＲｅｓｏｕｒｃｅＣｏｎｆｉｇＣｏｍｍｏｎは、物理レイヤセルＩＤを示すパラメータを含んでもよい。
【０１１４】
ＮＩＤは、端末装置１に対して前記上位層のパラメータＣｏｎｔｒｏｌ−ｓｃｒａｍｂｌｉｎｇ−Ｉｄｅｎｔｉｔｙが設定されているかどうかに基づいてセットされてもよい。
【０１１５】
端末装置１に対して上位層のパラメータＣｏｎｔｒｏｌ−ｓｃｒａｍｂｌｉｎｇ−Ｉｄｅｎｔｉｔｙが設定されている場合、ＮＩＤは上位層のパラメータＣｏｎｔｒｏｌ−ｓｃｒａｍｂｌｉｎｇ−Ｉｄｅｎｔｉｔｙに基づいてセットされてもよい。端末装置１に対して上位層のパラメータＣｏｎｔｒｏｌ−ｓｃｒａｍｂｌｉｎｇ−Ｉｄｅｎｔｉｔｙが設定されていない場合、ＮＩＤは物理レイヤセルＩＤにセットされてもよい。
【０１１６】
ＮＩＤは、ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されているかどうかに基づいてセットされてもよい。
【０１１７】
ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されている場合、ＮＩＤは上位層のパラメータＣｏｎｔｒｏｌ−ｓｃｒａｍｂｌｉｎｇ−Ｉｄｅｎｔｉｔｙに基づいてセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されていない場合、ＮＩＤは物理レイヤセルＩＤにセットされてもよい。
【０１１８】
ＮＩＤは、ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されているかどうかに基づいてセットされてもよい。
【０１１９】
ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されている場合、ＮＩＤは上位層のパラメータＣｏｎｔｒｏｌ−ｓｃｒａｍｂｌｉｎｇ−Ｉｄｅｎｔｉｔｙに基づいてセットされてもよい。ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されていない場合、ＮＩＤは物理レイヤセルＩＤにセットされてもよい。ここで、ＰＤＣＣＨがマップされるサーチスペースは、ＣＳＳまたはＵＳＳである。
【０１２０】
ＮＩＤは、下りリンク制御情報に付加されるＣＲＣパリティビットのスクランブルのために何れのＲＮＴＩが用いられるかに基づいてセットされてもよい。
【０１２１】
端末装置に対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩによってスクランブルされている場合、ＮＩＤは上位層のパラメータＣｏｎｔｒｏｌ−ｓｃｒａｍｂｌｉｎｇ−Ｉｄｅｎｔｉｔｙに基づいてセットされてもよい。端末装置に対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩ以外のＲＮＴＩによってスクランブルされている場合、ＮＩＤは物理レイヤセルＩＤにセットされてもよい。端末装置に対して上位層のパラメータＣｏｎｔｒｏｌ−ｓｃｒａｍｂｌｉｎｇ−Ｉｄｅｎｔｉｔｙが設定されていない場合、ＮＩＤは物理レイヤセルＩＤにセットされてもよい。
【０１２２】
ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩによってスクランブルされている場合、ＮＩＤは上位層のパラメータＣｏｎｔｒｏｌ−ｓｃｒａｍｂｌｉｎｇ−Ｉｄｅｎｔｉｔｙに基づいてセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩ以外のＲＮＴＩによってスクランブルされている場合、ＮＩＤは物理レイヤセルＩＤにセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されていない場合、下りリンク制御情報に付加されるＣＲＣパリティビットのスクランブルのために何れのＲＮＴＩが用いられるかにかかわらず、ＮＩＤは物理レイヤセルＩＤにセットされてもよい。
【０１２３】
ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩによってスクランブルされている場合、ＮＩＤは上位層のパラメータＣｏｎｔｒｏｌ−ｓｃｒａｍｂｌｉｎｇ−Ｉｄｅｎｔｉｔｙに基づいてセットされてもよい。ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されており、且つ、下りリンク制御情報に付加されるＣＲＣパリティビットがＣ−ＲＮＴＩ以外のＲＮＴＩによってスクランブルされている場合、ＮＩＤは物理レイヤセルＩＤにセットされてもよい。ＰＤＣＣＨがマップされるサーチスペースに対して上位層のパラメータＣｏｎｔｒｏｌ−ｓｃｒａｍｂｌｉｎｇ−Ｉｄｅｎｔｉｔｙが設定されていない場合、下りリンク制御情報に付加されるＣＲＣパリティビットのスクランブルのために何れのＲＮＴＩが用いられるかにかかわらず、ＮＩＤは物理レイヤセルＩＤにセットされてもよい。
【０１２４】
ＮＩＤは、ＰＤＣＣＨが対応するＣＯＲＥＳＥＴに少なくとも基づいてセットされてもよい。ＮＩＤは、ＰＤＣＣＨがＣＯＲＥＳＥＴ０に対応するかどうかに少なくとも基づいてセットされてもよい。
【０１２５】
端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣＯＲＥＳＥＴ０以外のＣＯＲＥＳＥＴに対応する場合、ＮＩＤは上位層のパラメータＣｏｎｔｒｏｌ−ｓｃｒａｍｂｌｉｎｇ−Ｉｄｅｎｔｉｔｙに基づいてセットされてもよい。端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣＯＲＥＳＥＴ０に対応する場合、ＮＩＤは物理レイヤセルＩＤにセットされてもよい。端末装置に対して上位層のパラメータＣｏｎｔｒｏｌ−ｓｃｒａｍｂｌｉｎｇ−Ｉｄｅｎｔｉｔｙが設定されていない場合、ＰＤＣＣＨが対応するＣＯＲＥＳＥＴにかかわらず、ＮＩＤは物理レイヤセルＩＤにセットされてもよい。
【０１２６】
ＮＩＤは、ＰＤＣＣＨがマップされるサーチスペースに少なくとも基づいてセットされてもよい。
【０１２７】
端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣ−ＲＮＴＩによって与えられるＵＳＳにマップされる場合、ＮＩＤは上位層のパラメータＣｏｎｔｒｏｌ−ｓｃｒａｍｂｌｉｎｇ−Ｉｄｅｎｔｉｔｙに基づいてセットされてもよい。端末装置に対して上位層のパラメータＣｏｎｔｒｏｌ−ｓｃｒａｍｂｌｉｎｇ−Ｉｄｅｎｔｉｔｙが設定されており、且
つ、ＰＤＣＣＨがＴＣ−ＲＮＴＩによって与えられるＵＳＳにマップされる場合、ＮＩＤは物理レイヤセルＩＤにセットされてもよい。端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣＳＳにマップされる場合、ＮＩＤは物理レイヤセルＩＤにセットされてもよい。端末装置に対して上位層のパラメータＣｏｎｔｒｏｌ−ｓｃｒａｍｂｌｉｎｇ−Ｉｄｅｎｔｉｔｙが設定されていない場合、ＰＤＣＣＨがマップされるサーチスペースにかかわらず、ＮＩＤは物理レイヤセルＩＤにセットされてもよい。
【０１２８】
ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣ−ＲＮＴＩによって与えられるＵＳＳにマップされる場合、ＮＩＤは上位層のパラメータＣｏｎｔｒｏｌ−ｓｃｒａｍｂｌｉｎｇ−Ｉｄｅｎｔｉｔｙに基づいてセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されており、且つ、ＰＤＣＣＨがＴＣ−ＲＮＴＩによって与えられるＵＳＳにマップされる場合、ＮＩＤは物理レイヤセルＩＤにセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されており、且つ、ＰＤＣＣＨがＣＳＳにマップされる場合、ＮＩＤは物理レイヤセルＩＤにセットされてもよい。ＰＤＣＣＨが対応するＣＯＲＥＳＥＴに対して上位層のパラメータＣｏｎｔｒｏｌ−ｓｃｒａｍｂｌｉｎｇ−Ｉｄｅｎｔｉｔｙが設定されていない場合、ＰＤＣＣＨがマップされるサーチスペースにかかわらず、ＮＩＤは物理レイヤセルＩＤにセットされてもよい。
【０１２９】
ＮＩＤは、ＰＤＣＣＨが対応するＣＯＲＥＳＥＴおよびＰＤＣＣＨが対応するサーチスペースに少なくとも基づいてセットされてもよい。ＮＩＤは、ＰＤＣＣＨがインデックス０のＣＯＲＥＳＥＴのＣＳＳに対応するかどうかに少なくとも基づいてセットされてもよい。
【０１３０】
端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがインデックス０のＣＯＲＥＳＥＴのＣＳＳ以外のサーチスペースに対応する場合、ＮＩＤは上位層のパラメータＣｏｎｔｒｏｌ−ｓｃｒａｍｂｌｉｎｇ−Ｉｄｅｎｔｉｔｙに基づいてセットされてもよい。ここで、インデックス０のＣＯＲＥＳＥＴのＣＳＳ以外のサーチスペースは、インデックス０のＣＯＲＥＳＥＴのＵＳＳ、インデックス０のＣＯＲＥＳＥＴ以外のＣＯＲＥＳＥＴのＣＳＳ、および、インデックス０のＣＯＲＥＳＥＴ以外のＣＯＲＥＳＥＴのＵＳＳであってもよい。端末装置に対して上位層のパラメータＣｏｎｔｒｏｌ−ｓｃｒａｍｂｌｉｎｇ−Ｉｄｅｎｔｉｔｙが設定されており、且つ、ＰＤＣＣＨがインデックス０のＣＯＲＥＳＥＴのＣＳＳに対応する場合、ＮＩＤは物理レイヤセルＩＤにセットされてもよい。端末装置に対して上位層のパラメータＣｏｎｔｒｏｌ−ｓｃｒａｍｂｌｉｎｇ−Ｉｄｅｎｔｉｔｙが設定されていない場合、ＰＤＣＣＨが対応するＣＯＲＥＳＥＴおよびＰＤＣＣＨが対応するサーチスペースにかかわらず、ＮＩＤは物理レイヤセルＩＤにセットされてもよい。
【０１３１】
ＮＩＤは、ＮＲＮＴＩに少なくとも基づいてセットされてもよい。
【０１３２】
端末装置に対して上位層のパラメータＣｏｎｔｒｏｌ−ｓｃｒａｍｂｌｉｎｇ−Ｉｄｅｎｔｉｔｙが設定されており、且つ、ＮＲＮＴＩがＣ−ＲＮＴＩに少なくとも基づいて与えられる場合、ＮＩＤは上位層のパラメータＣｏｎｔｒｏｌ−ｓｃｒａｍｂｌｉｎｇ−Ｉｄｅｎｔｉｔｙに基づいてセットされてもよい。
端末装置に対して上位層のパラメータＣｏｎｔｒｏｌ−ｓｃｒａｍｂｌｉｎｇ−Ｉｄｅｎｔｉｔｙが設定されており、且つ、ＮＲＮＴＩがＣ−ＲＮＴＩとは関係なく与えられる場合、ＮＩＤは物理レイヤセルＩＤにセットされてもよい。ここで、ＮＲＮＴＩがＣ−Ｒ
ＮＴＩとは関係なく与えられることは、ＮＲＮＴＩがＴＣ−ＲＮＴＩによって与えられること、および／または、ＮＲＮＴＩが予め定められた値であることであってもよい。端末装置に対して上位層のパラメータＣｏｎｔｒｏｌ−ｓｃｒａｍｂｌｉｎｇ−Ｉｄｅｎｔｉｔｙが設定されており、且つ、ＮＲＮＴＩがＴＣ−ＲＮＴＩの値または予め定められた値である場合、ＮＩＤは物理レイヤセルＩＤにセットされてもよい。ここで、予め定められた値は０、６５５３４、６５５３５のうちの何れであってもよい。予め定められた値は、０、６５５３４、６５５３５とは異なる値でもよい。端末装置に対して上位層のパラメータＣｏｎｔｒｏｌ−ｓｃｒａｍｂｌｉｎｇ−Ｉｄｅｎｔｉｔｙが設定されていない場合、ＮＲＮＴＩにかかわらず、ＮＩＤは物理レイヤセルＩＤにセットされてもよい。
【０１３３】
ＮＩＤは、上述した条件の一部、または、全部に少なくとも基づいて決定されてもよい。
【０１３４】
ＲＮＴＩは１６ビットである。上位層のパラメータＣｏｎｔｒｏｌ−ｓｃｒａｍｂｌｉｎｇ−Ｉｄｅｎｔｉｔｙは１６ビットの値を示す。上位層のパラメータＣｏｎｔｒｏｌ−ｓｃｒａｍｂｌｉｎｇ−Ｉｄｅｎｔｉｔｙは０から６５５３５の何れかの値を示す。本実施形態において、物理レイヤセルＩＤは６５５３６よりも小さい値である。
【０１３５】
Ｃ−ＲＮＴＩが１０００００００００００００００（２進数）であり、且つ、ＣＳＳのためのＮＩＤがＵＳＳのためのＮＩＤと同じである場合、数式（３）によって与えられるＣＳＳのためのＣｉｎｉｔが数式（３）によって与えられるＵＳＳのためのＣｉｎｉｔと同じになる。例えば、上位層のパラメータＣｏｎｔｒｏｌ−ｓｃｒａｍｂｌｉｎｇ−Ｉｄｅｎｔｉｔｙが設定されていない場合、ＣＳＳのためのＮＩＤとＵＳＳのためのＮＩＤのそれぞれは、物理レイヤセルＩＤである。
【０１３６】
図１０は、本実施形態における数式（３）によって与えられるＵＳＳのためのＣｉｎｉｔの一例を示す図である。数式（３）によって与えられるＵＳＳのためのＣｉｎｉｔはＮＲＮＴＩの最上位ビットを除いた残りの１５ビットによって与えられる。図１０の１００ＡはＣｉｎｉｔのうちＮＲＮＴＩに対応するビットである。図１０の１００ＢはＣｉｎｉｔのうちＮＩＤに対応するビットである。Ｃ−ＲＮＴＩが１０００００００００００００００（２進数）である場合の１００Ａは、ＮＲＮＴＩを０にセットした場合の１００Ａと同じ値にセットされる。ＣＳＳに対するＮＲＮＴＩは０にセットされるので、Ｃ−ＲＮＴＩが１０００００００００００００００（２進数）であり、且つ、ＣＳＳのためのＮＩＤがＵＳＳのためのＮＩＤと同じである場合、数式（３）によって与えられるＣＳＳのためのＣｉｎｉｔが数式（３）によって与えられるＵＳＳのためのＣｉｎｉｔと同じになる。
【０１３７】
ＣＳＳのためのＣｉｎｉｔがＵＳＳのためのＣｉｎｉｔと同じ場合、ＣＳＳにマップされるＰＤＣＣＨのためのスクランブリング系列は、ＵＳＳにマップされるＰＤＣＣＨのためのスクランブリング系列と同じになる。ＣＳＳにマップされるＰＤＣＣＨのためのスクランブリング系列は、ＵＳＳにマップされるＰＤＣＣＨのためのスクランブリング系列と同じ場合、端末装置１は、ＰＤＣＣＨがＣＳＳとＵＳＳの何れで送信されたかを判定できなくなる。ここで、ＣＳＳにマップされるＰＤＣＣＨに含まれるＤＣＩフォーマットのフィールドのセットが、ＵＳＳにマップされるＰＤＣＣＨに含まれるＤＣＩフォーマットのフィールドのセットと異なる場合、端末装置１は、ＰＤＣＣＨを検出できたとしても、ＤＣＩフォーマットのフィールドを特定することができなくなってしまうという問題がある。
【０１３８】
例えば、ＣＳＳにおけるＰＤＣＣＨ候補とＵＳＳにおけるＰＤＣＣＨ候補に対して、以下の条件１から６を少なくとも含む複数のが満たされる場合、端末装置１は、ＰＤＣＣＨがＣＳＳにおけるＰＤＣＣＨ候補とＵＳＳに対応するＰＤＣＣＨ候補の何れに対応するか
、および、当該ＰＤＣＣＨ候補におけるＰＤＣＣＨで受信したＤＣＩフォーマットに含まれるフィールドを特定することができない。
（条件１）Ｃ−ＲＮＴＩが１０００００００００００００００（２進数）である
（条件２）ＣＳＳのためのＮＩＤがＵＳＳのためのＮＩＤと同じである
（条件３）ＣＳＳにおけるＰＤＣＣＨ候補のＤＣＩフォーマットのペイロードサイズが、ＵＳＳにおけるＰＤＣＣＨ候補のＤＣＩフォーマットのペイロードサイズと同じである
（条件４）ＣＳＳにおけるＰＤＣＣＨ候補を構成するＣＣＥのセットが、ＵＳＳにおけるＰＤＣＣＨ候補を構成するＣＣＥのセットと同じである。
（条件５）ＣＳＳにおけるＰＤＣＣＨ候補のＤＣＩフォーマットに付加されるＣＲＣパリティビットのスクランブルのために用いられるＲＮＴＩが、ＵＳＳにおけるＰＤＣＣＨ候補のＤＣＩフォーマットに付加されるＣＲＣパリティビットのスクランブルのために用いられるＲＮＴＩと同じである
（条件６）ＣＳＳにおけるＰＤＣＣＨ候補のＤＣＩフォーマットに含まれるフィールドのセットが、ＵＳＳにおけるＰＤＣＣＨ候補のＤＣＩフォーマットに含まれるフィールドのセットと異なる
【０１３９】
ＵＳＳがＴＣ−ＲＮＴＩによって与えられる場合、ＣＳＳにおけるＰＤＣＣＨ候補のＤＣＩフォーマットに含まれるフィールドのセットが、ＵＳＳにおけるＰＤＣＣＨ候補のＤＣＩフォーマットに含まれるフィールドのセットは同じでもよい。ＵＳＳがＣ−ＲＮＴＩによって与えられる場合、ＣＳＳにおけるＰＤＣＣＨ候補のＤＣＩフォーマットに含まれるフィールドのセットが、ＵＳＳにおけるＰＤＣＣＨ候補のＤＣＩフォーマットに含まれるフィールドのセットとは同じでもよいし、異なってもよい。
【０１４０】
ＣＳＳにおけるＰＤＣＣＨ候補とＵＳＳにおけるＰＤＣＣＨ候補に対して、上記の条件１から６を少なくとも含む複数の条件が満たされる場合、端末装置１は、当該ＰＤＣＣＨ候補におけるＰＤＣＣＨがＣＳＳで送信されたとみなしてもよい。ＣＳＳにおけるＰＤＣＣＨ候補とＵＳＳにおけるＰＤＣＣＨ候補に対して、上記の条件１から６を少なくとも含む複数の条件が満たされる場合、端末装置１は、当該ＰＤＣＣＨ候補におけるＰＤＣＣＨは、ＵＳＳで送信されたとみなしてもよい。
【０１４１】
ＣＳＳにおけるＰＤＣＣＨ候補とＵＳＳにおけるＰＤＣＣＨ候補に対して、上記の条件１から６を少なくとも含む複数の条件が満たされる場合、端末装置１は、当該ＰＤＣＣＨ候補におけるＰＤＣＣＨは、ＣＳＳとＵＳＳのうち予め定められたサーチスペースで送信されたとみなしてもよい。ここで、予め定められたサーチスペースは、さらに、他の条件に基づいて与えられてもよい。例えば、当該他の条件は、ある上位層のパラメータが設定されているかどうかという条件を含んでもよい。
【０１４２】
０はＲＮＴＩの値として利用不可能（Not Available）である。従って、Ｃ−ＲＮＴＩ
は０とは異なる値である。すなわち、ＣＳＳのためのＮＲＮＴＩはＣ−ＲＮＴＩによって与えられるＵＳＳのためのＮＲＮＴＩとは必ず異なる値になる。そこで、Ｃｉｎｉｔは、数式（３）の代わりに数式（４）に基づいて与えられてもよい。
【０１４３】
【数４】
2019140598.tif 000006
【０１４４】
図１１は、本実施形態における数式（４）によって与えられるＵＳＳのためのＣｉｎｉｔの一例を示す図である。数式（４）によって与えられるＵＳＳのためのＣｉｎｉｔはＮＩＤの最上位ビットを除いた残りの１５ビットによって与えられる。図１１の１１０ＡはＣｉｎｉｔのうちＮＩＤに対応するビットである。図１１の１１０ＢはＣｉｎｉｔのうち
ＮＲＮＴＩに対応するビットである。Ｃ−ＲＮＴＩは０とは異なる値であるため、Ｃ−ＲＮＴＩが何れの値であったとしても、ＮＲＮＴＩをＣ−ＲＮＴＩにセットした場合の１１０Ｂは、ＮＲＮＴＩを０にセットした場合の１１０Ｂとは異なる値になる。すなわち、Ｃ−ＲＮＴＩが何れの値であったとしても、数式（４）によって与えられるＣＳＳのためのＣｉｎｉｔが数式（４）によって与えられるＵＳＳのためのＣｉｎｉｔと同じになることはない。また、Ｃ−ＲＮＴＩが１０００００００００００００００（２進数）であり、且つ、ＣＳＳのためのＮＩＤがＵＳＳのためのＮＩＤと同じであったとしても、数式（４）によって与えられるＣＳＳのためのＣｉｎｉｔが数式（４）によって与えられるＵＳＳのためのＣｉｎｉｔと同じになることはない。
【０１４５】
以下、本実施形態における、端末装置１および基地局装置３の種々の態様について説明する。
【０１４６】
（１）本実施形態の第１の態様は、端末装置１であって、下りリンク制御情報を含むＰＤＣＣＨを受信する受信部１０と、前記下りリンク制御情報を復号する復号部１０と、を備え、前記下りリンク制御情報の符号化ビットの系列はスクランブリング系列ｓｉによってスクランブルされ、前記スクランブリング系列ｓｉは少なくともＮＲＮＴＩに基づいて初期化され、前記ＰＤＣＣＨがＣＳＳにマップされる場合、前記ＮＲＮＴＩは第１の所定の値であり、前記ＰＤＣＣＨがＵＳＳにマップされる場合、前記ＮＲＮＴＩは前記ＵＳＳが何れのＲＮＴＩによって与えられるかに少なくとも基づいて与えられる。
【０１４７】
（２）本実施形態の第２の態様は、端末装置１であって、下りリンク制御情報を含むＰＤＣＣＨを受信する受信部１０と、前記下りリンク制御情報を復号する復号部１０と、を備え、前記下りリンク制御情報の符号化ビットの系列はスクランブリング系列ｓｉによってスクランブルされ、前記スクランブリング系列ｓｉは少なくともＮＲＮＴＩに基づいて初期化され、前記ＰＤＣＣＨがＣＳＳにマップされる場合、前記下りリンク制御情報に付加されるＣＲＣパリティビットのスクランブルのために何れのＲＮＴＩが用いられるかにかかわらず、前記ＮＲＮＴＩは第１の所定の値であり、前記ＰＤＣＣＨがＵＳＳにマップされる場合、前記ＮＲＮＴＩは、前記下りリンク制御情報に付加される前記ＣＲＣパリティビットのスクランブルのために何れの前記ＲＮＴＩが用いられるかに少なくとも基づいて与えられる。
【０１４８】
（３）本実施形態の第３の態様は、基地局装置３であって、下りリンク制御情報を符号化する符号化部３０と、前記下りリンク制御情報を含むＰＤＣＣＨを送信する送信部３０と、を備え、前記下りリンク制御情報の符号化ビットの系列は、スクランブリング系列によってスクランブルされ、前記スクランブリング系列は、少なくともＮＲＮＴＩに基づいて初期化され、前記ＰＤＣＣＨがＣＳＳにマップされる場合、前記ＮＲＮＴＩは第１の所定の値であり、前記ＰＤＣＣＨがＵＳＳにマップされる場合、前記ＮＲＮＴＩは前記ＵＳＳが何れのＲＮＴＩによって与えられるかに少なくとも基づいて与えられる。
【０１４９】
（４）本実施形態の第４の態様は、基地局装置３であって、下りリンク制御情報を符号化し、前記下りリンク制御情報を含むＰＤＣＣＨを送信し、前記下りリンク制御情報の符号化ビットの系列は、スクランブリング系列によってスクランブルされ、前記スクランブリング系列は、少なくともＮＲＮＴＩに基づいて初期化され、前記ＰＤＣＣＨがＣＳＳにマップされる場合、前記下りリンク制御情報に付加されるＣＲＣパリティビットのスクランブルのために何れのＲＮＴＩが用いられるかにかかわらず、前記ＮＲＮＴＩは第１の所定の値であり、前記ＰＤＣＣＨがＵＳＳにマップされる場合、前記ＮＲＮＴＩは、前記下りリンク制御情報に付加される前記ＣＲＣパリティビットのスクランブルのために何れの前記ＲＮＴＩが用いられるかに少なくとも基づいて与えられる。
【０１５０】
（５）本実施形態の第１および第３の態様において、前記ＰＤＣＣＨがＣ−ＲＮＴＩによって与えられるＵＳＳにマップされる場合、前記ＮＲＮＴＩはＣ−ＲＮＴＩであり、前記ＰＤＣＣＨがＴＣ−ＲＮＴＩによって与えられるＵＳＳにマップされる場合、前記ＮＲＮＴＩは第２の所定の値であり、前記第２の所定の値は、前記ＴＣ−ＲＮＴＩ、０、６５５３４、および、６５５３５の何れかである。本実施形態の第１および第３の態様において、前記ＵＳＳがＣ−ＲＮＴＩによって与えられる場合、前記ＮＲＮＴＩはＣ−ＲＮＴＩであってもよく、前記ＵＳＳがＴＣ−ＲＮＴＩによって与えられる、前記ＮＲＮＴＩは第２の所定の値であってもよい。
【０１５１】
（６）本実施形態の第２および第４の態様において、前記ＰＤＣＣＨが前記ＵＳＳにマップされ、且つ、前記下りリンク制御情報に付加される前記ＣＲＣパリティビットがＴＣ−ＲＮＴＩ以外のＲＮＴＩによってスクランブルされる場合、前記ＮＲＮＴＩはＣ−ＲＮＴＩであり、前記ＰＤＣＣＨが前記ＵＳＳにマップされ、且つ、前記下りリンク制御情報に付加される前記ＣＲＣパリティビットが前記ＴＣ−ＲＮＴＩによってスクランブルされる場合、前記ＮＲＮＴＩは第２の所定の値であり、前記第２の所定の値は、前記第１の所定の値、前記ＴＣ−ＲＮＴＩ、０、６５５３４、および、６５５３５の何れかである。
【０１５２】
（７）本実施形態の第５の態様は、端末装置１であって、下りリンク制御情報を含むＰＤＣＣＨを受信する受信部１０と、前記下りリンク制御情報を復号する復号部１０と、を備え、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【０１５３】
（７）本実施形態の第６の態様は、基地局装置であって、下りリンク制御情報を符号化する符号化部３０と、前記下りリンク制御情報を含むＰＤＣＣＨを送信する送信部３０と、を備え、前記下りリンク制御情報の符号化ビットの系列は、スクランブリング系列によってスクランブルされ、前記スクランブル系列は、Ｃｉｎｉｔに少なくとも基づいて初期化され、前記Ｃｉｎｉｔは以下の数式に基づいて与えられ、ＮＲＮＴＩはＣ−ＲＮＴＩ、ＴＣ−ＲＮＴＩ、０、６５５３４、および、６５５３５の何れかにセットされ、ＮＩＤは、上位層のパラメータＣｏｎｔｒｏｌ−ｓｃｒａｍｂｌｉｎｇ−Ｉｄｅｎｔｉｔｙによって与えられる値、または、物理レイヤセルＩＤにセットされる。
（数式）
Ｃｉｎｉｔ＝（ＮＩＤ・２１６＋ＮＲＮＴＩ）  ｍｏｄ  ２３１
【０１５４】
上述した第１の所定の値は０であってもよい。
【０１５５】
これにより、端末装置１と基地局装置３は効率的に下りリンクで通信をすることができる。
【０１５６】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１５７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１６１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１６２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１６４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発
明の技術的範囲に含まれる。また、上記各実施形態に記載された要素であり、同様の効果を奏する要素同士を置換した構成も含まれる。
【符号の説明】
【０１６５】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019140598.tif 000007
【図２】
2019140598.tif 000008
【図３】
2019140598.tif 000009
【図４】
2019140598.tif 000010
【図５】
2019140598.tif 000011
【図６】
2019140598.tif 000012
【図７】
2019140598.tif 000013
【図８】
2019140598.tif 000014
【図９】
2019140598.tif 000015
【図１０】
2019140598.tif 000016
【図１１】
2019140598.tif 000017